(57)【要約】      （修正有）【課題】シングル・チャンネルの抵抗・容量可変ＲＣ発振器を提供する。【解決手段】抵抗・容量可変ＲＣ発振器は、発振器の入力端に設置される抵抗・容量選択スイッチと、抵抗出力端と、容量出力端と、第１端が抵抗・容量選択スイッチに接続されて、第２端が抵抗出力端にフローティングする少なくとも一つの抵抗スイッチと、第１端が抵抗・容量選択スイッチに接続されて、第２端が容量出力端にフローティングする少なくとも一つの容量スイッチと、を備えてなるものであり、抵抗・容量選択スイッチによって、どの抵抗スイッチの第２端を抵抗出力端に接続する、及びどの容量スイッチの第２端を容量出力端に接続するかを選択して、抵抗出力端と容量出力端に異なる組み合わせの抵抗・容量出力値を発生させる。【選択図】図３
2008160798.tif 000002
【特許請求の範囲】
【請求項１】
抵抗・容量可変ＲＣ発振器であって、
前記発振器の入力端に設置される抵抗・容量選択スイッチと、
抵抗出力端と、
容量出力端と、
第１端が前記抵抗・容量選択スイッチに接続されて、第２端が前記抵抗出力端にフローティングする少なくとも一つの抵抗スイッチと、
第１端が前記抵抗・容量選択スイッチに接続されて、第２端が前記容量出力端にフローティングする少なくとも一つの容量スイッチと、を備えてなり、
前記抵抗・容量選択スイッチによって、どの抵抗スイッチの第２端を前記抵抗出力端に接続する、及びどの容量スイッチの第２端を前記容量出力端に接続するかを選択して、前記抵抗出力端と前記容量出力端に異なる組み合わせの抵抗・容量出力値を発生させるようにすることを特徴とする抵抗・容量可変ＲＣ発振器。
【請求項２】
前記抵抗・容量可変ＲＣ発振器はシングル・チャンネルの抵抗・容量可変ＲＣ発振器であることを特徴とする請求項１記載の抵抗・容量可変ＲＣ発振器。
【請求項３】
使用者は前記抵抗・容量可変ＲＣ発振器の外部から、前記抵抗・容量選択スイッチによってどの抵抗スイッチの第２端を前記抵抗出力端に接続する、及びどの容量スイッチの第２端を前記容量出力端に接続するかを選択することを特徴とする請求項１記載の抵抗・容量可変ＲＣ発振器。
【請求項４】
前記抵抗出力端と前記容量出力端はそれぞれに異なる一定の直流電圧レベルに接続されていることを特徴とする請求項１記載の抵抗・容量可変ＲＣ発振器。
【請求項５】
前記抵抗出力端と前記容量出力端は前記抵抗・容量可変ＲＣ発振器の出力端に接続されていることを特徴とする請求項１記載の抵抗・容量可変ＲＣ発振器。
【請求項６】
前記抵抗・容量選択スイッチと前記抵抗、容量スイッチとの間に接続されて、前記抵抗・容量選択スイッチに応じて少なくとも一つの許可信号を発生させて、それによってどの抵抗スイッチの第２端を前記抵抗出力端に接続する、及びどの容量スイッチの第２端を前記容量出力端に接続するかを選択する複数の許可スイッチを含むことを特徴とする請求項１記載の抵抗・容量可変ＲＣ発振器。
【請求項７】
前記抵抗スイッチの数量はｍ、前記容量スイッチの数量はｎ、ｍとｎは皆自然数、ｍ＋ｎは前記抵抗・容量可変ＲＣ発振器のビット数であることを特徴とする請求項１記載の抵抗・容量可変ＲＣ発振器。
【請求項８】
少なくとも請求項１記載の抵抗・容量可変ＲＣ発振器を含むことを特徴とするマイクロコントローラ・ユニット。
【発明の詳細な説明】
【技術分野】
【０００１】
この発明はＲＣ発振器に関し、特にシングル・チャンネルの抵抗・容量可変ＲＣ発振器に関する。
【背景技術】
【０００２】
従来の抵抗・容量（ＲＣ）発振器は、簡単な設計とかコストダウンとかするために、接続する抵抗の数量又は接続する容量の数量は一定である。即ち、使用者は、ＲＣ発振器の中に抵抗を接続させること又は容量を接続させることを変更できず、ただＲＣ発振器の中に接続する抵抗の数値又は接続する容量の数値だけを変更できる。
【０００３】
図１を参照する。図１は従来の第１のＲＣ発振器を示した部分回路図である。図１において、ＲＣ発振器１０は主に四つの容量Ｃ０〜Ｃ３及び四つの抵抗Ｒ０〜Ｒ３を含む。さらに、ＲＣ発振器１０の組合選択端はそれぞれＲ端とＣ端の出力端に設置されて、共用端はＲＣ発振器１０の入力端ＣＫＩＮに設置される。
【０００４】
図１に示したように、ＲＣ発振器１０には、接続する抵抗の数量又は接続する容量の数量は一定で変更されることができない。抵抗と容量両者の数量は一方が不足になると、もう一方の数量は十分でも代用にされることができない。応用に不便になるだけでなく、資源にももったいない。
【０００５】
図２を参照する。図２は従来の第２のＲＣ発振器を示した部分回路図である。図２において、ＲＣ発振器２０は主に八つの抵抗・容量端ＲＣ０〜ＲＣ７を含む。作動する時、使用者は制御端によって抵抗又は容量に接続するのを選択してから、外部回路を抵抗又は容量に接続する。
【０００６】
しかしながら、図２のＲＣ発振器２０において、それぞれのＲＣピンにはもっとスイッチと制御回路を接続してはいけないので、コストを増やす恐れがある。その上、追加のスイッチは発振器に遅れ時間を増加して、発振周波数の線性程度を悪くする可能性がある。発振器が低電圧によって作動する時に、この欠点は特に明らかである。
【発明の開示】
【発明が解決しようとする課題】
【０００７】
したがって、新しいＲＣ発振器を提出する必要がある。提出されたＲＣ発振器は、多種のＲＣ組合を有して、使用者が必要に応じて異なる回路接続によってＲ又はＣに接続するのを選択することができ、集積回路とコストを増やすことなく、Ｒ又はＣに接続する発振器を作る。集積回路の応用範囲を拡大し、コストを減らすようにする。
【課題を解決するための手段】
【０００８】
本発明は抵抗・容量可変ＲＣ発振器を提出した。この抵抗・容量可変ＲＣ発振器は、発振器の入力端に設置される抵抗・容量選択スイッチと、抵抗出力端と、容量出力端と、第１端が抵抗・容量選択スイッチに接続されて、第２端が抵抗出力端にフローティングする少なくとも一つの抵抗スイッチと、第１端が抵抗・容量選択スイッチに接続されて、第２端が容量出力端にフローティングする少なくとも一つの容量スイッチと、を備えてなる。抵抗・容量選択スイッチによって、どの抵抗スイッチの第２端を抵抗出力端に接続する、及びどの容量スイッチの第２端を容量出力端に接続するかを選択して、抵抗出力端と容量出力端に異なる組み合わせの抵抗・容量出力値を発生させるようにする、ことを特徴とする。
【０００９】
前記抵抗・容量可変ＲＣ発振器はシングル・チャンネルの抵抗・容量可変ＲＣ発振器であることを特徴とする。
【００１０】
使用者は前記抵抗・容量可変ＲＣ発振器の外部から、前記抵抗・容量選択スイッチによってどの抵抗スイッチの第２端を前記抵抗出力端に接続する、及びどの容量スイッチの第２端を前記容量出力端に接続するかを選択することを特徴とする。
【００１１】
前記抵抗出力端と前記容量出力端はそれぞれに異なる一定の直流電圧レベルに接続されていることを特徴とする。
【００１２】
前記抵抗出力端と前記容量出力端は前記抵抗・容量可変ＲＣ発振器の出力端に接続されていることを特徴とする。
【００１３】
前記抵抗・容量選択スイッチと前記抵抗、容量スイッチとの間に接続されて、前記抵抗・容量選択スイッチに応じて少なくとも一つの許可信号を発生させて、それによってどの抵抗スイッチの第２端を前記抵抗出力端に接続する、及びどの容量スイッチの第２端を前記容量出力端に接続するかを選択する複数の許可スイッチを含むことを特徴とする。
【００１４】
前記抵抗スイッチの数量はｍ、前記容量スイッチの数量はｎ、ｍとｎは皆自然数、ｍ＋ｎは前記抵抗・容量可変ＲＣ発振器のビット数であることを特徴とする。
【００１５】
さらに、本発明は上記の抵抗・容量可変ＲＣ発振器を含むことを特徴とするマイクロコントローラ・ユニットを提出した。
【発明の効果】
【００１６】
この発明は簡単な構成の抵抗・容量可変ＲＣ発振器を提出した。このＲＣ発振器は、多種のＲＣ組合を有して、使用者が必要に応じて異なる回路接続によってＲ又はＣに接続するのを選択することができる。集積回路とコストを増やすことなく、Ｒ又はＣに接続する発振器を作ることができ、集積回路の応用範囲を拡大し、コストを減らすようにする。
【発明を実施するための最良の形態】
【００１７】
図３は本発明の抵抗・容量可変ＲＣ発振器の回路図である。図３において、ＲＣ発振器３０は主に、ＲＣ発振器３０の入力端ＣＫＩＮに設置された抵抗・容量選択スイッチ（外部に位置して図に示さず）と、抵抗出力端ＲＯＵＴと、容量出力端ＣＯＵＴと、第１端が該抵抗・容量選択スイッチに接続されて第２端が抵抗出力端ＲＯＵＴにフローティングする複数の抵抗スイッチＲＣ０〜ＲＣ７と、第１端が該抵抗・容量選択スイッチに接続されて第２端が容量出力端ＣＯＵＴにフローティングする複数の容量スイッチＲＣ０〜ＲＣ７と、を備えてなる。
【００１８】
本発明の技術的な特徴は、使用者がどの抵抗スイッチの第２端を抵抗出力端ＲＯＵＴに接続する、及びどの容量スイッチの第２端を容量出力端ＣＯＵＴに接続するかを選択して、抵抗出力端ＲＯＵＴと容量出力端ＣＯＵＴに異なる組み合わせの抵抗・容量出力値を発生させて、出力端に異なる出力を提供するもしくは出力端に異なる固定の直流電圧レベルを提供するようにする、ことである。
【００１９】
実際の回路図から見る。図４（ａ）は本発明の抵抗・容量可変ＲＣ発振器の第１実施態様を示した回路図である。図４（ａ）において、ＲＣ発振器４１は８ビットの発振器であり、六つの抵抗スイッチＲ０〜Ｒ５及び二つの容量スイッチＣ０〜Ｃ１を含んでいる。抵抗スイッチＲ１を使用する時、抵抗スイッチＲ１を抵抗出力端ＲＯＵＴに接続する。そのほか、容量スイッチＣ０を使用する時、容量スイッチＣ０を容量出力端ＣＯＵＴに接続する。そうしたら、ＲＣの組合のピンは使用者の必要に応じて、Ｒに接続するもしくはＣに接続することができる。
【００２０】
図４（ａ）のＲＣ発振器４１は、これらの六つのＲ及び二つのＣによって、抵抗出力端ＲＯＵＴ及び容量出力端ＣＯＵＴに十二個（６＊２）の組合の抵抗・容量出力値を発生させることができる。
【００２１】
図４（ｂ）は本発明の抵抗・容量可変ＲＣ発振器の第２実施態様を示した回路図である。図４（ｂ）において、ＲＣ発振器４２は８ビットの発振器であり、二つの抵抗スイッチＲ０〜Ｒ１及び六つの容量スイッチＣ０〜Ｃ５を含んでいる。
【００２２】
図４（ｂ）のＲＣ発振器４２は、これらの二つのＲ及び六つのＣによって、抵抗出力端ＲＯＵＴ及び容量出力端ＣＯＵＴに十二個（２＊６）の組合の抵抗・容量出力値を発生させることができる。
【００２３】
前記の実施態様は、使用者が発振器の外部の抵抗・容量選択スイッチによってそれらの抵抗スイッチ・容量スイッチのフローティング／接続を直接に決定することであるが、各抵抗スイッチ・容量スイッチと抵抗・容量選択スイッチの間に許可スイッチを設置して、その許可スイッチからの許可信号によって各抵抗スイッチ・容量スイッチと抵抗出力端ＲＯＵＴ及び容量出力端ＣＯＵＴとの接続を制御しても好ましい。
【００２４】
図５（ａ）は本発明のシングル・チャンネルの抵抗・容量可変ＲＣ発振器の一つの実施態様を示した回路図である。図５（ａ）において、シングル・チャンネルの抵抗・容量可変ＲＣ発振器５１は主に、二つの抵抗スイッチと二つの容量スイッチによって構成された。シングル・チャンネルの抵抗・容量可変ＲＣ発振器５１には、抵抗出力端ＲＯＵＴを出力端として、容量出力端ＣＯＵＴをシングル・チャンネルの抵抗・容量可変ＲＣ発振器５１の低圧端ＶＳＳとする。
【００２５】
一方、図５（ｂ）は本発明のシングル・チャンネルの抵抗・容量可変ＲＣ発振器のもう一つの実施態様を示した回路図である。図５（ｂ）において、シングル・チャンネルの抵抗・容量可変ＲＣ発振器５２は主に、二つの抵抗スイッチと二つの容量スイッチによって構成された。図５（ａ）に示したシングル・チャンネルの抵抗・容量可変ＲＣ発振器５１との区別は、抵抗出力端ＲＯＵＴを高圧端ＶＤＤとして、容量出力端ＣＯＵＴをシングル・チャンネルの抵抗・容量可変ＲＣ発振器５２の低圧端ＶＳＳとする。
【００２６】
要するに、本発明の抵抗・容量可変ＲＣ発振器は、単一の製品としてシングル・チャンネルの抵抗・容量可変ＲＣ発振器を製造するほかに、マイクロコントローラ・ユニット（ＭＣＵ）の機能になってもよい。さらに、それらの抵抗スイッチと容量スイッチの数量は発振器のビット数によって定められる。例えば、抵抗スイッチの数量はｍ、容量スイッチの数量はｎ、ｍとｎは皆自然数、ｍ＋ｎは前記抵抗・容量可変ＲＣ発振器のビット数である。
【図面の簡単な説明】
【００２７】
【図１】従来の第１のＲＣ発振器を示した部分回路図である。
【図２】従来の第２のＲＣ発振器を示した部分回路図である。
【図３】本発明の抵抗・容量可変ＲＣ発振器の回路図である。
【図４（ａ）】本発明の抵抗・容量可変ＲＣ発振器の第１実施態様を示した回路図である。
【図４（ｂ）】本発明の抵抗・容量可変ＲＣ発振器の第２実施態様を示した回路図である。
【図５（ａ）】本発明のシングル・チャンネルの抵抗・容量可変ＲＣ発振器の一つの実施態様を示した回路図である。
【図５（ｂ）】本発明のシングル・チャンネルの抵抗・容量可変ＲＣ発振器のもう一つの実施態様を示した回路図である。
【符号の説明】
【００２８】
１０          抵抗・容量可変ＲＣ発振器
２０          抵抗・容量可変ＲＣ発振器
３０          抵抗・容量可変ＲＣ発振器
４１          抵抗・容量可変ＲＣ発振器
４２          抵抗・容量可変ＲＣ発振器
５１          シングル・チャンネルの抵抗・容量可変ＲＣ発振器
５２          シングル・チャンネルの抵抗・容量可変ＲＣ発振器
Ｒ＊          抵抗スイッチ
Ｃ＊          容量スイッチ
ＲＣ＊        抵抗・容量スイッチ
ＣＫＩＮ      入力端
ＲＯＵＴ      抵抗出力端
ＣＯＵＴ      容量出力端
ＶＤＤ        高圧端
ＶＳＳ        低圧端
【図１】
2008160798.tif 000003
【図２】
2008160798.tif 000004
【図３】
2008160798.tif 000005
【図４（ａ）】
2008160798.tif 000006
【図４（ｂ）】
2008160798.tif 000007
【図５（ａ）】
2008160798.tif 000008
【図５（ｂ）】
2008160798.tif 000009